(57)【要約】  結露の発生を防止できるとともに、製造が容易で、かつ設置の容易な、オーバーヘッドドア用の断熱装置を提供する。  オーバーヘッドドア用断熱装置は、プラスチックにより形成された本体と、前記本体に設けられた第１シール部材及び第２シール部材と、前記第１シール部材及び第２シール部材の間において、前記本体に取り付けられたヒータとを有する。
2014057527.tif 000002
【特許請求の範囲】
【請求項１】
プラスチックにより形成された本体と、
前記本体に設けられた第１シール部材及び第２シール部材と、
前記第１シール部材及び第２シール部材の間において、前記本体に取り付けられたヒータとを有するオーバーヘッドドア用断熱装置。
【請求項２】
前記第１シール部材及び前記第２シール部材の少なくとも一方は、前記本体に対して着脱可能に設けられている請求項１に記載のオーバーヘッドドア用断熱装置。
【請求項３】
前記本体は、一方の面がオーバーヘッドドアの枠体に取り付けられる平坦な面であり、前記一方の面と対向する面に、前記第１シール部材を取り付ける第１溝、前記第２シール部材を取り付ける第２溝、前記第１溝と前記第２溝との間に前記ヒータを取り付ける第３溝がそれぞれ形成されている請求項２に記載のオーバーヘッドドア用断熱装置。
【請求項４】
前記本体は所定方向に延在する長尺部材であり、前記第１溝、前記第２溝、及び前記第３溝は、前記長尺方向において互いに同じ長さで設けられている請求項３に記載のオーバーヘッドドア用断熱装置。
【請求項５】
前記所定方向と直交する方向において、前記ヒータは前記第１シール部材と前記第２シール部材との間に取り付けられている請求項４に記載のオーバーヘッドドア用断熱装置。
【請求項６】
前記本体が塩化ビニル樹脂により形成される請求項１〜５のいずれか一項に記載のオーバーヘッドドア用断熱装置。
【請求項７】
前記本体に取り付けられるヒータカバーであって、前記ヒータを覆うように取り付けられるヒータカバーをさらに有する請求項１〜６のいずれか一項に記載のオーバーヘッドドア用断熱装置。
【請求項８】
前記本体、前記第１シール部材、及び前記第２シール部材が、略同じ長さの長尺部材である請求項２〜７のいずれか一項に記載のオーバーヘッドドア用断熱装置。
【請求項９】
前記本体が、オーバーヘッドドアのドアパネルと枠体との間において、前記枠体に取り付けられ、前記第１シール部材及び前記第２シール部材が前記ドアパネルに当接して、前記ドアパネルと前記枠体との間に画成される隙間を遮蔽する請求項１〜８のいずれか一項に記載のオーバーヘッドドア用断熱装置。
【請求項１０】
前記ヒータが、前記本体、前記第１シール部材、前記第２シール部材、前記ドアパネルにより画成される空間を加温する請求項９に記載のオーバーヘッドドア用断熱装置。
【請求項１１】
前記本体が、オーバーヘッドドアのドアパネルと枠体との間において、前記第１シール部材が前記第２シール部材よりも、前記ドアパネルの端部により近い位置に配置されるように、前記枠体に取り付けられ、
前記ヒータは、前記本体上において、前記第１シール部材と前記第２シール部材の中間点よりも前記第１シール部材よりに設けられている、請求項１〜１０のいずれか一項に記載のオーバーヘッドドア用断熱装置。
【請求項１２】
ドアパネルと、
枠体と、
前記枠体に取付けられた、請求項１〜１１のいずれか一項に記載の断熱装置とを備えるオーバーヘッドドア。
【請求項１３】
前記枠体は、鉛直下方を除く前記ドアパネルの三方の周囲に設けられており、前記断熱装置は、前記三方において前記枠体に取り付けられている請求項１２に記載のオーバーヘッドドア。
【発明の詳細な説明】
【技術分野】
【０００１】
本発明は、オーバーヘッドドア用の断熱装置、及びそれを備えるオーバーヘッドドアに関し、特には、結露防止機能を有するオーバーヘッドドア用の断熱装置、及びそれを備えるオーバーヘッドドアに関する。
【背景技術】
【０００２】
冷蔵室や冷凍室などの低温の倉庫においては、搬出／搬入部等の開口部を開閉するためにオーバーヘッドドア（オーバードアーとも呼ばれる）が一般的に設けられている。オーバーヘッドドアは、図６に示すように、複数のドアパネル体をヒンジ５００で屈曲自在に連結したドアパネル１００と、ドアパネル１００の側部側のヒンジ５００に回転可能に取り付けられたローラ６００と、床から逆Ｌ字型に延在してローラ６００が摺動するガイドレール３００とを主に備える。また、ドアパネル１００の左右端部及び上端部の近傍には、枠体４００が設けられている。【０００３】
このようなオーバーヘッドドアを低温の倉庫の開口部に設置した場合、倉庫内の空気は常に低温に保たれる一方で、倉庫外の外気は気温や湿度が倉庫内に比べて高く、それらが時間や天候に応じて変動するため、ドアパネル１００の倉庫外側の表面等に結露が生じることがある。生じた結露は、やがて水滴となってドアパネル１００等から落下するため、倉庫の床面に水溜りができたり、倉庫内の商品が水滴で汚れて商品価値が低下するという不都合が生じていた。そのため現在では、結露を防止するため内部に断熱材料を充填したドアパネル体や、内部にヒータを備えるドアパネル体が使用されている。【０００４】
また結露は、倉庫内の冷気がドアパネル１００の上端部や左右端部から庫外側に回りこむことによっても生じ、ドアパネル１００の上端部や左右端部近傍に設けられている断熱構造の表面や、枠体４００の表面、これらの近傍に位置するドアパネル１００の表面に水滴として現われる。ドアパネル体以外の箇所における結露に対処する技術としては、例えばヒートシャッターにおいて、ガイドレールを有するレールボックスにヒータを設け、レールボックスと外気との接触面における結露の発生を防止する構造が知られている（特許文献１）。
【先行技術文献】
【特許文献】
【０００５】
【特許文献１】特開第２００５−２９９６０号
【発明の概要】
【発明が解決しようとする課題】
【０００６】
オーバーヘッドドアにおいて、断熱構造等における結露に対処する場合、特許文献１に開示される構造をオーバーヘッドドアに適用することも考えられるが、レールボックスの内部にヒータが一体に取り付けられているため、オーバーヘッドドアのレールボックスの製造工程が複雑となり製造コストが高くなる。【０００７】
また近年では、商品の品質管理を一層確実に行うため、倉庫内の温度をこれまで以上に低温に設定する傾向にあり、これに伴い、既設のオーバーヘッドドアの断熱構造や枠体の周辺等における結露防止機能を後付けで付与したいとの要望が、メーカ側に多く寄せられている。しかしこのような場合、特許文献１に開示される構造では、既設の枠体を取り外し、新たにヒータを有するレールボックスを設置する必要があるため、施工には多くの時間を要し、またコストも高くなる。【０００８】
そこで本発明は上記の課題を解決することを目的とし、結露の発生を防止できるとともに、製造が容易で、かつ設置の容易な、オーバーヘッドドア用の断熱装置を提供することを目的とする。また、本発明はそのような断熱装置を備えたオーバーヘッドドアを提供することを目的とする。
【課題を解決するための手段】
【０００９】
本発明の第１の態様に従えば、プラスチックにより形成された本体と、
前記本体に設けられた第１シール部材及び第２シール部材と、
前記第１シール部材及び第２シール部材の間において、前記本体に取り付けられたヒータとを有するオーバーヘッドドア用断熱装置が提供される。【００１０】
本発明のオーバーヘッドドア用断熱装置では、第１シール部材と第２シール部材の間にヒータを配置することにより、また、本体をプラスチックにより形成することにより、冷気により断熱装置の温度が低下することを防止している。したがって、断熱装置及びその周辺部における結露の発生を防止することができる。【００１１】
また本発明のオーバーヘッドドア用断熱装置は、単純な形状を有する少数の部品からなるため製造コストが安く、また、既設の枠体やガイドレールを取り外すことなく設置できるため、施工も容易である。【００１２】
本発明のオーバーヘッドドア用断熱装置において、前記第１シール部材及び前記第２シール部材の少なくとも一方は、前記本体に対して着脱可能に設けられていてもよい。このような構成とすることで、設置工事の施工はより容易となり、またメンテナンスも容易となる。【００１３】
本発明のオーバーヘッドドア用断熱装置において、前記本体は、一方の面がオーバーヘッドドアの枠体に取り付けられる平坦な面であり、前記一方の面と対向する面に、前記第１シール部材を取り付ける第１溝、前記第２シール部材を取り付ける第２溝、前記第１溝と前記第２溝との間に前記ヒータを取り付ける第３溝がそれぞれ形成されていてもよく、また、前記本体は所定方向に延在する長尺部材であり、前記第１溝、前記第２溝、及び前記第３溝は、前記長尺方向において互いに同じ長さで設けられていてもよい。【００１４】
本発明のオーバーヘッドドア用断熱装置において、前記所定方向と直交する方向において、前記ヒータは前記第１シール部材と前記第２シール部材との間に取り付けられていてもよい。【００１５】
本発明のオーバーヘッドドア用断熱装置において、前記本体が塩化ビニル樹脂により形成されていてもよい。塩化ビニル樹脂は熱伝導率が低いため、冷気による本体の低温化をより適切に防止することができる。よって断熱装置及びその周辺部における結露の発生を防止することができる。【００１６】
本発明のオーバーヘッドドア用断熱装置は、前記本体に取り付けられるヒータカバーであって、前記ヒータを覆うように取り付けられるヒータカバーをさらに有していてもよい。これにより、ヒータをより堅固に保持することが可能となり、またヒータと液体との接触等を防ぐことができる。【００１７】
本発明のオーバーヘッドドア用断熱装置において、前記本体、前記第１シール部材、及び前記第２シール部材が、略同じ長さの長尺部材であってもよい。【００１８】
本発明のオーバーヘッドドア用断熱装置において、前記本体が、オーバーヘッドドアのドアパネルと枠体との間において、前記枠体に取り付けられ、前記第１シール部材及び前記第２シール部材が前記ドアパネルに当接して、前記ドアパネルと前記枠体との間に画成される隙間を遮蔽してもよい。このような構成とすることで、断熱性能をより高めることができる。【００１９】
本発明のオーバーヘッドドア用断熱装置において、前記ヒータが、前記本体、前記第１シール部材、前記第２シール部材、前記ドアパネルにより画成される空間を加温してもよい。これにより、断熱装置及びその周辺部における結露の発生を防止することができる。【００２０】
本発明のオーバーヘッドドア用断熱装置において、前記本体が、オーバーヘッドドアのドアパネルと枠体との間において、前記第１シール部材が前記第２シール部材よりも、前記ドアパネルの端部により近い位置に配置されるように、前記枠体に取り付けられ、前記ヒータは、前記本体上において、前記第１シール部材と前記第２シール部材の中間点よりも前記第１シール部材よりに設けられていてもよい。このように、より冷気に近い位置にヒータを配することで、冷気の伝わる領域が小さくなり、断熱装置の冷却をより適切に防止することができる。よって断熱装置及びその周辺部における結露の発生を防止することができる。【００２１】
本発明の第２の態様に従えば、ドアパネルと、
枠体と、
前記枠体に取付けられた、上記第１の態様の断熱装置とを備えるオーバーヘッドドアが提供される。【００２２】
本発明のオーバーヘッドドアは、第１の態様のオーバーヘッドドア用断熱装置を用いているため、第１の態様のオーバーヘッドドア用断熱装置と同様の効果が得られる。【００２３】
本発明のオーバーヘッドドアにおいて、前記枠体は、鉛直下方を除く前記ドアパネルの三方の周囲に設けられており、前記断熱装置は、前記三方において前記枠体に取り付けられていてもよい。
【発明の効果】
【００２４】
本発明によれば、結露の発生を防止できるとともに、製造が容易で、かつ設置が容易なオーバーヘッドドア用の断熱装置が提供される。また、そのような断熱装置を備えたオーバーヘッドドアが提供される。
【図面の簡単な説明】
【００２５】
【図１】図１は、本発明の実施の形態に係るオーバーヘッドドアの斜視図である。
【図２】図２は、本発明の実施の形態に係るオーバーヘッドドアの側面図である。
【図３】図３は、本発明の実施の形態に係るオーバーヘッドドアの正面図である。
【図４】図４は、図３のＡ−Ａ線で切断した、オーバーヘッドドアの拡大断面図である。
【図５】図５は、本発明の実施の形態に係る断熱装置の断面図である。
【図６】図６は、従来技術のオーバーヘッドドアの外観斜視図である。
【発明を実施するための形態】
【００２６】
図１〜図５を参照して、本発明の実施形態について説明する。
【００２７】
図１〜図３においては、図１の手前側、図２の右側、図３の奥側が庫内側（内気側、冷気側）、図１の奥側、図２の左側、図３の手前側が庫外側（外気側）である。なお以下の説明においては、庫外側から庫内側を見て、右を右側、左を左側、上を上側、下を下側とする。庫内側の温度は、一例として約−５度から約１５度であり、庫外側は外気の温度である。
【００２８】
図１に示す通り、オーバーヘッドドア１は、ドアパネル２、ガイドレール３、枠体４を主に有する。ドアパネル２は、ヒンジ５により上下方向に連結された複数のドアパネル体２１からなる。ドアパネル体２１の各々は、ステンレスやアルミ等の金属からなる表面部材２２と、その内部に充填された断熱体２３を有する（図４参照）。ドアパネル体２１は、内部にヒーター（不図示）を有していてもよい。本実施形態においては、ドアパネル体２１は上下方向に５枚連結されているが、枚数は任意である。
【００２９】
ガイドレール３は、ドアパネル２の右側及び左側にそれぞれ１つずつ設けられている。左右のガイドレール３はそれぞれ、床Ｆからドアパネル２に沿って鉛直方向に延在した後、ドアパネル２の上端部２ｕの上部において９０°屈曲し、庫内側に向けて水平方向に延在する逆Ｌ字型のレールである。以下においては、鉛直方向に延在するガイドレール部分を鉛直部３Ｖ、水平方向に延在するガイドレール部分を水平部３Ｈという。
【００３０】
枠体４は、壁Ｗの開口部ＷＯに設置される細長い矩形状の部材であり、本実施形態では、右枠体４ｒ、左枠体４ｌ、上枠体４ｕの３つの枠体４が取り付けられている（図３参照）。枠体４は、木材の表面をステンレス等の金属薄板で覆った構造を有する。また、左右枠体４ｌ、４ｒの庫内側面４ｌi、４ｒiにはガイドレール３が取り付けられている。
【００３１】
図１の右下に描かれた拡大図に示されるように、ドアパネル２の左端部２ｌに沿って設けられたヒンジ５には、ローラ６の回転軸が回転可能に取り付けられている。同様に、ドアパネル２の右端部２ｒに沿って設けられたヒンジ５にも、ローラ６の回転軸が回転可能に取り付けられている。なお左端部２ｌ及び右端部２ｒの下端にはヒンジ５が設けられていないため、ローラ６は、左端部２ｌ及び右端部２ｒの下端においては、支持部５１を介して取り付けられている。
【００３２】
上記構造のオーバーヘッドドア１においては、枠体４は、ガイドレール３を介してドアパネル２を支持しており、ドアパネル２の左端部２ｌ、右端部２ｒ、上端部２ｕの近傍においては、ドアパネル体２１の庫外側面２２ｏと右枠体４ｒ、庫外側面２２ｏと左枠体４ｌ、庫外側面２２ｏと上枠体４ｕとの間に、それぞれ隙間が生じている（図２参照）。この隙間に、後述する断熱装置８が配置される
【００３３】
上記構造のオーバーヘッドドア１を開けるときは、ドアパネル２を上方に引き上げればよい。この際ローラ６がガイドレール３に沿って鉛直部３Ｖから水平部３Ｈへと移動し、ドアパネル２も、水平部３Ｈへと移動する。これにより壁Ｗの開口部ＷＯは開状態となる。反対に、オーバーヘッドドア１を閉じるときは、ドアパネル２を庫外側に引き、下方に付勢すればよい。これによりローラ６がガイドレール３に沿って水平部３Ｈから鉛直部３Ｖへと移動し、ドアパネル２も鉛直部３Ｖへと移動する。これにより壁Ｗの開口部ＷＯは閉状態となる。
【００３４】
次に、本実施形態の断熱装置８について、図４、図５を参照して詳述する。なお、以下の説明では、図４の紙面に垂直な方向、すなわちオーバーヘッドドア１の上下方向を、断熱装置８の長手方向と、図４の左右方向、すなわちオーバーヘッドドア１の左右方向を断熱装置８の短手方向と、これらに直交する方向、すなわちオーバーヘッドドア１の前後方向を断熱装置８の高さ方向と呼ぶ。また、以下においては、左枠体４ｌに設置された断熱装置８を例として説明を行い、右枠体４ｒ、上枠体４ｕに設置された断熱装置８については、その構造、作用、設置方法、効果は左枠体４ｌに設置された断熱装置８と同様であるため、その説明は省略する。
【００３５】
図４は、図３のＡ−Ａ線に沿って切断した断面図である。図４に示すように、本実施形態の断熱装置８は、主に、本体８０、第１シール部材８１、第２シール部材８２、ヒータ８３、ヒータカバー８４を有している。断熱装置８は、本体８０が、左枠体４ｌの端部４ｌｅ近傍において、左枠体４ｌの庫内側面４ｌiを覆って取り付けられている。また、断熱装置８の本体８０には、第１シール部材８１、第２シール部材８２が着脱可能に取り付けられており、第１シール部材８１、第２シール部材８２がドアパネル２１の庫外側面２２ｏに当接して、庫外側及び庫内側の連通を閉塞している。また、第１シール部材８１と第２シール部材８２の間には、空間８５が形成されている。
【００３６】
図３に示すように、本実施形態においては、断熱装置８が、ドアパネル２の上下寸法とほぼ同等の長さで延在して左枠体４ｌ、右枠体４ｒにそれぞれ取り付けられており、ドアパネル２の左端部２ｌ近傍のドアパネル体２１の庫外側面２２ｏと左枠体４ｌとの間、及びドアパネル２の右端部２ｒ近傍のドアパネル体２１の庫外側面２２ｏと右枠体４ｒとの間において、それぞれ庫外側及び庫内側の連通を閉塞している。また、断熱装置８が、ドアパネル２の左右寸法とほぼ同等の長さで延在して上枠体４ｕに取り付けられており、ドアパネル２の上端部２ｕ近傍のドアパネル体２１の庫外側面２２ｏと上枠体４ｕとの間において、庫外側及び庫内側の連通を閉塞している。
【００３７】
図５に、本実施形態の断熱装置８の拡大図を示す。断熱装置８の本体８０は、同一面上に、第１シール部材８１を取り付けるための第１溝８０１、第２シール部材８２を取り付けるための第２溝８０２、第１シール部材８１と第２シール部材８２との間に、ヒータ８３を取り付けるための第３溝８０３、第３溝８０３に取り付けたヒータ８３の近傍にヒータカバー８４を保持するための鍵部８０４、断熱装置８を枠体４にねじ止めする際に、ねじ位置の目安とするための目安溝８０５を有している。また、本体８０の裏面８０６は平坦に形成されている。これにより、本体８０の左枠体４ｌの庫内側面４ｌiへの取り付けを、高い密着度で行うことが可能となる。
【００３８】
本体８０の材料としては、成形の容易性や断熱性能という点で、プラスチックを用いるのが好ましい。本実施形態においては、硬質の塩化ビニル樹脂（ＰＶＣ）を用いている。ＰＶＣは、熱伝導率（λ）が約０．１７〜０．２１Ｗ／（ｍ・Ｋ）であり、熱が伝わり難いため、庫内側の冷気によっても冷却され難い。また、耐熱温度が約６５〜８５℃と高いため、ヒータ８４による加熱の影響を受け難い。なお、ＰＶＣに代えて硬質ナイロンや、ＡＢＳ樹脂等、他のプラスチック材料を用いることも可能である。
【００３９】
第１シール部材８１は、長手方向において本体８０とほぼ同じ寸法を有し、本体８０に着脱可能に取り付けられる弾性部材である。第１シール部材８１は、中空筒状の頭部８１１、及び脚部８１２を有し、脚部８１２が本体８０の第１溝８０１にはめ合わせられるように着脱可能に取り付けられる。また頭部８１１をドアパネル２１の庫外側面２２ｏに当接させて、庫外側及び庫内側の連通を閉塞する。頭部８１１の先端には、庫外側面２２ｏと接触して気密性を維持するための複数のヒダ８１１ａが形成されている。第１シール部材８１の材料としては、任意の弾性材料を用いることが可能であるが、本実施形態では、熱伝導率の低いＰＶＣを用いている。なお、本実施形態の第１シール部材８１は、図示のように頭部８１１の長手方向に直交する面における断面形状が、内部空間を２分割した略円形状であり、脚部８１２の断面形状が略Ｔ字状であるが、第１シール部材８１の形状はこれには限られず、例えば頭部８１１の断面形状は、内部空間が分割されない略円形状であってもよい。
【００４０】
第２シール部材８２は弾性部材から形成されており、長辺方向において本体８０とほぼ同じ寸法を有するように延在して、本体８０に着脱可能に取り付けられている。第２シール部材８２は、先端部８２１及び、先端部８２１と反対側の端部である脚部８２２を有し、脚部８２２は、第２シール部材８２の中央部よりも厚く成形されて、本体８０の第２溝８０２にはめ合わされて取り付けられる。また、先端部８２１をドアパネル２１の庫外側面２２ｏに接触させて、庫外側及び庫内側の連通を閉塞する。第２シール部材８２を形成する弾性材料は任意のものを用いることが可能であるが、本実施形態では、アルマシール（登録商標）ゴムを用いている。
【００４１】
ヒータ８３は、本体８０の第３溝８０３に取り付けられるコード状のヒータであり、長辺方向において本体８０とほぼ同じ寸法を有する。図４、５において、ヒータ８３の内部に短辺方向に２つ並んで描かれる小丸は、それぞれヒータ８３のコードを示す。ヒータ８３は任意のヒータを使用し得るが、本実施形態では、発熱量を一定に保つように自ら制御を行うセルフコントロールヒータ（セルコンヒータ）を用いている。セルコンヒータによれば、ヒータ８３の温度が所定の目標温度に自動的に維持されるため、安定した状態で結露防止性能を得ることができる。なお、ヒータ８３として、コード状のほか、棒状、ワイヤ状のヒータを用いることもできる。ヒータ８３によって、空間８５が露点温度以上に暖気される。露点温度は外気の温度、湿度において変動するが、例えば空間８５を４０度以上とすると、多くの温度及び湿度条件下で露点温度以上となる。
【００４２】
また、ヒータ８３は、庫内側においてはヒータカバー８４により覆われている。ヒータカバー８４は本体８０の鍵部８０４により保持され、ヒータ８３と空間８５との間に配置されて、ヒータ８３を保護する。このようにヒータ８３の庫内側にヒータカバー８４を配置することで、周囲に存在し得る水滴等の水分が、ヒータ８３に接触することを防止することができる。なお、ヒータカバー８４の材料は、ヒータ８３の熱を効率よく空間８５に伝達するため熱伝導率の高いアルミ板を用いるのが好ましいが、ステンレス等の他の金属により形成された板材や、プラスチックにより成形された板材を使用することも可能である。
【００４３】
本実施形態の断熱装置８の本体８０においては、ヒータ８３を取り付けるための第３溝８０３は、短手方向において、第２シール部材８２を取り付けるための第２溝８０２よりも、第１シール部材８１を取り付けるための第１溝８０１により近い位置に形成されている（第１シール部材８１と第２シール部材８２の中間点よりも第１シール部材８１よりに設けられている）。したがってヒータ８３は、短手方向において、第２シール部材８２よりも、第１シール部材８１により近い位置に配置される。ヒータ８３は、出来るだけ第１シール部材８１に近い位置に配置するのが望ましく、このような配置とすることにより、庫内側により近い位置においてヒータ８３による暖気を行うことが可能となり、冷気の伝わる領域が小さくなる。したがって、庫内側の冷気による断熱装置８の冷却を、より適切に防止することができる。
【００４４】
本実施形態の断熱装置８においては、第１シール部材８１と第２シール部材８２を、短手方向において出来るだけ近くに配置し、空間８５を小さくするのが望ましい。このような配置とすることにより、ヒータ８３による空間８５の暖気をより効率よく行うことが可能となり、消費電力が低減される。この場合、例えばワイヤ状のヒータを用いることにより、空間８５をより小さくすることが可能となる。
【００４５】
本実施形態の断熱装置８において、ヒータ８３の本体８０の底面８０６からの高さは、オーバーヘッドドア１の開閉時にドアパネル２の移動に干渉しない範囲内で、任意の高さにし得る。
【００４６】
次に、本実施形態の断熱装置８の作用について説明する。
【００４７】
図４において、庫内側の空気（内気）を一例として温度０度、庫外側の空気（外気）を一例として温度３５度、湿度８０％とする。断熱装置８は、第１シール部材８１及び第２シール部材８２を、ドアパネル２１の庫外側面２２ｏに当接させて、庫外側及び庫内側の連通を閉塞する。この時、断熱装置８は、内気により冷却される。より詳細には、内気からの伝熱により、まず断熱装置８の第１シール部材８１が冷却される。冷却された第１シール部材８１により、第１シール部材８１と第２シール部材８２の間の空間８５が伝熱により冷却され、さらに第２シール部材８２が冷却される。一方で内気は、断熱装置８の本体８０の、第１シール部材８１よりも庫内側に位置する表面を直接に冷却する。ここで、本実施形態の断熱装置８は、第１シール部材８１と第２シール部材８２の間にヒータ８３を有しており、ヒータ８３は、空間８５が露点温度以上となるよう暖気している。したがって、第２シール部材８２が内気により冷却されることが防止され、第２シール部材８２と外気との接触面、及びその近傍に位置するドアパネル体２１及び枠体４の表面において結露が発生することが防止される。
【００４８】
また、本実施形態の断熱装置８の本体８０は、熱伝達率の小さいＰＶＣにより形成されている。したがって、内気による本体８０全体の冷温化は抑制されており、本体８０と外気との接触面、及びその近傍に位置する枠体４の表面において結露が発生することが防止される。
【００４９】
また、本実施形態の断熱装置８は、熱伝達率の小さいＰＶＣにより形成された本体８０を密着させて、ステンレス等の金属薄版により形成された左枠体４ｌの端部４ｌｅ近傍の庫内側表面４ｌiを覆っている。これにより、内気により冷却された左枠体４ｌの端部４ｌｅ近傍の庫内側表面４ｌiに生じうる結露を防止している。
【００５０】
次に、本実施形態の断熱装置８の設置方法の一例について説明する。
【００５１】
本実施形態の断熱装置８を設置する際には、まず、第１シール部材８１、第２シール部材８２、ヒータ８３、ヒータカバー８４、及び本体８０を準備し、本体８０を枠体４にねじ止めする。ねじ止めの際は、本体８０に設けられた目安溝８０５を目印として必要数のねじを締めるだけで、適切な位置に、適切な数のねじを容易に締めることができる。次に、枠体４に取り付けた本体８０に、第１シール部材８１、第２シール部材８２を取り付ける。第１シール部材８１、第２シール部材８２は、それぞれ脚部８１１、８１２を、本体８０の第１溝８０１、第２溝８０２に嵌合するのみで取り付けることができる。最後に、枠体４に取り付けた本体８０に、ヒータ８３を取り付け、このヒータ８３をヒータカバー８４で覆うように、ヒータカバー８４を鍵部８０４に取り付ける。
【００５２】
以上の設置方法によれば、まず軽量な本体８０のみを枠体４にとりつけるため、片手で本体８０を押さえた状態でねじを締めることも可能であり、施工が非常に容易である。また、その後の第１シール部材８１、第２シール部材８２、ヒータ８３、ヒータカバー８４の取り付けにはねじ等を用いないため、これらの取り付けも非常に容易である。
【００５３】
なお、本体８０の枠体４への取り付けは、ねじに併用して接着材、もしくは両面テープを用いてもよい。また、本体８０の枠体４への取り付けは、本体８０に第１シール部材８１、第２シール部材８２、ヒータ８３、ヒータカバー８４のいずれか１つ以上をすでに取り付けた状態で行ってもよい。また、必要であれば、第１シール部材８１、第２シール部材８２を本体８０に嵌合した後に、第１シール部材８１と本体８０、第２シール部材８２と本体８０とを、ねじを用いてさらに堅固に固定してもよい。
【００５４】
本実施形態に係る本発明の効果について以下にまとめる。
【００５５】
本実施形態の断熱装置８は、第１シール部材８１と第２シール部材８２を有し、さらに第１シール部材８１と第２シール部材８２の間にヒータ８３を設けて空間８５を露点以上に暖気している。したがって、庫内側の内気（冷気）により断熱装置８が冷却されることが防止され、断熱装置８と外気との接触面、およびその近傍に位置するドアパネル２及び枠体４の表面において結露が生じることが防止されている。
【００５６】
本実施形態の断熱装置８は、本体８０が熱伝導率の低いＰＶＣで形成され、枠体４（左枠体４ｌ）の庫内側の表面４i（４ｌi）を覆って取り付けられている。したがって、庫内側の内気（冷気）により本体８０が冷却されることが防止され、本体８０と外気との接触面、及びその近傍に位置する枠体４の表面において結露が生じることが防止されている。また、枠体４の庫内側の表面４iにおいて結露が生じることも防止されている。
【００５７】
本実施形態の断熱装置８は、枠体４にねじ止め等により簡易に取り付ける構成となっている。したがって、既に設置されている、枠体周辺に結露防止機能を有さないオーバーヘッドドアに対して結露防止機能を与えたい場合は、既設の枠体を用いて、既設の断熱構造に代えて又は既設の断熱構造に加えて本実施形態の断熱装置８を取り付けるだけで、枠体やガイドレールを取り替えることなく容易に結露防止機能を与えることができる。
【００５８】
本実施形態の断熱装置８は、第１シール部材８１、第２シール部材８２、ヒータ８３、ヒータカバー８４が、本体８０に対して着脱可能となっている。したがって、断熱装置８を取り付ける際には、まず本体８０のみを枠体４に取り付け、その後第１シール部材８１、第２シール部材８２、ヒータ８３、ヒータカバー８４を本体８０に取り付ければよい。従って取り付け工事の施工が容易であり、工事に要する費用や時間が軽減される。
【００５９】
また、第１シール部材８１、第２シール部材８２、ヒータ８３、ヒータカバー８４が、それぞれ本体８０に対して着脱可能であるため、断熱装置８の設置後に年月が経過し、メンテナンスや補修の必要が生じた場合であっても、状況に応じて必要な部品のみを交換することができる。よって、メンテナンスや補修に要する費用や時間も軽減される。
【００６０】
本実施形態の断熱装置８の、第１シール部材８１、第２シール部材８２は、それぞれが単純な形状により形成されている。よって、第１シール部材８１、第２シール部材８２を押出成形により容易に製造することができ、製造コストを下げることができる。また、本体８０も、押出成形又は射出成形で容易に製造することができる。
【００６１】
なお、上記では第１シール部材８１、第２シール部材８２は本体８０に対して着脱可能であるとしたが、本体８０、第１シール部材８１、第２シール部材８２を一体に成形しても良い。また、上記では左枠体４ｌ、右枠体４ｒ、上枠体４ｕのすべての断熱装置８がヒータ８３を有するものとしたが、左枠体４ｌ、右枠体４ｒ、上枠体４ｕに本体８０、第１シール部材８１、第２シール部材８２を取付けて、ヒータ８３は、上枠体４ｕの本体８０のみ、あるいは左枠体４ｌと右枠体４ｒの本体８０のみに取り付けてもよい。
【００６２】
なお、上記ではヒータ８３をヒータカバー８４により固定したが、ヒータカバー８４を有さなくてもよい。この場合は、断熱装置８の製造コストはより安価となり、取り付けに要する施工コストもより安価となる。
【００６３】
なお、上記では、ヒータ８３は空間８５の温度を一定に保つように動作するものとしたが、温度計、湿度計を用いて外気の状態を計測し、計測した外気の状態に基いて、制御器がヒータ８３の目標温度を制御するものとしてもよい。この時、空間８５が、外気の計測に基いて求められる露点温度以上となるように、ヒータ８３を制御することができる。
【００６４】
なお、上記では、断熱装置８は、ドアパネル２の上下方向寸法又は左右方向寸法とほぼ同じ長さを有するとしたが、断熱装置８は、これよりも短くてもよい。また、上記では、断熱装置８の有する第１シール部材８１、第２シール部材８２、ヒータ８３は、いずれも実質的に同じ長さを有するものとしたが、これには限られない。例えば、ヒータ８３が第１シール部材８１、第２シール部材８２より短く、断熱装置８の長辺方向の一部のみにおいて設けられていてもよい。
【００６５】
なお、上記では、ドアパネル２の上下寸法とほぼ同等の長さを有する断熱装置８を、左枠体４ｌ、右枠体４ｒにそれぞれ取り付け、ドアパネル２の左右寸法とほぼ同等の長さを有する断熱装置８を、上枠体４ｕに取り付けるものとしたが、これら３つの断熱装置８を一体に形成し、コ字状の断熱装置８としてもよい。
【００６６】
なお、上記では、ヒータカバー８４によってヒータ８３のみを覆うものとしたが、第１シール部材８１と第２シール部材との間の全域において、ヒータカバー８４により本体８０を覆う構造としてもよい。この場合、ヒータカバー８４はヒータ８３を固定するとともに、本体８０を枠体４に取り付けるためのねじを覆い、これを隠す。
【００６７】
なお、上記では、第１シール部材８１と第２シール部材は８２は異なる形状としたが、両者が同じ形状であってもよい。第２シール部材８２を、上記実施形態の第１シール部材８１と同じ形状としてもよく、第１シール部材８１を上記の第２シール部材８２と同じ形状としてもよい。また、上記では、第１シール部材８１と第２シール部材８２とをそれぞれ１つずつ有する構造としたがこれには限られない。例えば、第１シール部材８１の、第２シール部材８２とは反対側に、さらにもう１つ第１シール部材８１が設けられていてもよい。
【００６８】
なお、上記では、ガイドレール３は、鉛直部３Ｖと水平部３Ｈを有する逆Ｌ字状としたが、ガイドレール３が、鉛直部３Ｖの上端において屈曲する角度は０度〜９０度の間の任意の角度でよく、Ｉ字状や略Ｖ字状であってよい。
【産業上の利用可能性】
【００６９】
本発明によれば、結露の発生を防止できるとともに、製造が容易で、かつ設置が容易な断熱装置が提供されるため、枠体周辺に結露防止機能を有さない既設のオーバーヘッドドアに対して、容易に同機能を与えることができる。また、結露の発生を防止できるとともに、製造が容易であり、かつ設置が容易な断熱装置を備えたオーバーヘッドドアが提供される。
【符号の説明】
【００７０】
１  オーバーヘッドドア
２  ドアパネル
３  ガイドレール
４  枠体
５  ヒンジ
６  ローラ
８  断熱装置
８１  第１シール部材
８２  第２シール部材
８３  ヒータ
８４  ヒータカバー
Ｗ  壁
【図１】
2014057527.tif 000003
【図２】
2014057527.tif 000004
【図３】
2014057527.tif 000005
【図４】
2014057527.tif 000006
【図５】
2014057527.tif 000007
【図６】
2014057527.tif 000008
【国際調査報告】
2014057527.tif 000009
2014057527.tif 000010
2014057527.tif 000011
2014057527.tif 000012